(57)【要約】【課題】磁歪式液面計検出部の屈曲や変形あるいは検知精度の低下を引き起こすことなく、外部要因による磁歪式液面計検出部の振動を防止できる磁歪式液面計検出部の振動防止構造を提供すること。【解決手段】側面に気体および液体流通用の孔２３ｂを複数有する保護パイプ２０を液体貯蔵タンク１０内に固定して配置し、この保護パイプ２０内に磁歪式液面計検出部３０のガイドパイプ３１および磁石付きフロート３２を挿入するとともに、ガイドパイプ３１の先端を保護パイプ２０の底板２１に垂直に着座させて固定した。【選択図】図１
2009229377.tif 000002
【特許請求の範囲】
【請求項１】
磁歪線を内蔵した第１のパイプと、この第１のパイプに沿って上下動可能な磁石付きフロートとを備え、液体貯蔵タンク内に挿入されて使用される磁歪式液面計検出部の振動防止構造であって、
側面に気体および液体流通用の孔を有する第２のパイプを液体貯蔵タンク内に固定して配置し、この第２のパイプ内に第１のパイプおよび磁石付きフロートを挿入するとともに、第１のパイプの先端を第２のパイプに固定した磁歪式液面計検出部の振動防止構造。
【請求項２】
第２のパイプに底板を設け、この底板に第１のパイプの先端を着座させて固定した請求項１に記載の磁歪式液面計検出部の振動防止構造。
【請求項３】
第２のパイプを液体貯蔵タンクの取付口から液体貯蔵タンク内に挿入するとともに、第２のパイプの基端部を液体貯蔵タンクの取付口に着脱可能に固定した請求項１または請求項２に記載の磁歪式液面計検出部の振動防止構造。
【請求項４】
第２のパイプの長さが調整可能である請求項１から請求項３のいずれかに記載の磁歪式液面計検出部の振動防止構造。
【発明の詳細な説明】
【技術分野】
【０００１】
本発明は、液体貯蔵タンク内に挿入されて使用される磁歪式液面計検出部の振動防止構造に関する。
【背景技術】
【０００２】
近年、液体貯蔵タンクからの微量の液漏洩をも検知できる高精度液面計として、磁歪線を用いた磁歪式液面計が急速に普及している。
【０００３】
この磁歪式液面計は、基本構成として、磁歪線を内蔵したガイドパイプと、このガイドパイプに沿って上下動可能な磁石付きフロートとを備え、磁石付きフロートの上下動を磁歪線の磁歪現象を利用して感知し液面レベルを検知する検出部（以下「磁歪式液面計検出部」という。）と、その検知信号を表示する表示部（モニター部）とから構成されるもので、磁歪式液面計検出部は液体貯蔵タンク上端の取付口から液体貯蔵タンク内に挿入されて使用される。
【０００４】
ところが、液体貯蔵タンク周囲の車輌通行等の外的要因により磁歪式液面計検出部に振動が発生すると、磁歪式液面計は高精度であるがゆえに、その振動を液面レベルの変動または液漏洩として捉えてしまい、誤った信号を発信することがある。
【０００５】
そこで、従来は、磁歪式液面計検出部（ガイドパイプ）の基端部を液体貯蔵タンク上端の取付口に固定するとともに、ガイドパイプの先端を液体貯蔵タンクの底面に接触させることで、磁歪式液面計検出部（ガイドパイプ）の振動を防止するようにしていた。
【０００６】
しかし、液体貯蔵タンクには、貯蔵する液量の増減による膨張または収縮、もしくは地下水位などの増減等により、タンクの形状が真円形に近づいたり楕円形になったり、様々な要因による変形や歪みが生じることが周知となってきているところ、上述のようにガイドパイプの先端を液体貯蔵タンクの底面に接触させる振動防止構造では、タンク収縮時にガイドパイプが圧迫されることなり、同パイプの屈曲または変形による内部の磁歪線への悪影響によって検知精度が大幅に低下して、高精度液面計としての本来の機能を発揮できないことがあった。
【０００７】
また、主に地下タンク用として一般的に埋設される円筒横置形状のタンクでは、タンク上端の取付口がタンクの中心線からかなり偏芯した位置に設置される場合がまれに見受けられる。この場合、図３に示すようにガイドパイプ５０の先端が円筒形タンク６０の最底部６１ではなく、Ｒ部分６２に接触することになり、タンク底面との垂直度が確保されないまま固定されることから、上述のタンクに変形や歪みが発生した場合と同じく、同パイプの屈曲や変形が発生しやすく（図３の破線参照）、内部の磁歪線への悪影響によって検知精度が大幅に低下するおそれがある。
【０００８】
一方、特許文献１には、磁歪式液面計検出部のガイドパイプを液体貯蔵タンクの底面に固定せずに、ガイドパイプの周りに保護筒を設けた構造が開示されている。しかし、この保護筒は、タンク内の一時的な液体移動によってガイドパイプが破損するのを防止するために設けられたもので、磁歪式液面計検出部（ガイドパイプ）自体の振動を防止するためのものではない。また、保護筒は磁歪式液面計検出部のガイドパイプとは一切連結されていないので、ガイドパイプの先端はフリーの状態であり、車両通行等の外的要因によるガイドパイプの振動を防止することはできない。
【０００９】
なお、ガイドパイプの振動を防止するために、ガイドパイプの口径を大きくまたは肉厚を厚くすることも考えられるが、そうすると、ガイドパイプの中心に配置される磁歪線とガイドパイプの外周側に配置される磁石付きフロートとの距離が遠くなることから、磁歪線が磁石による磁界の作用を受けにくくなり、検知ミスや誤検知などの発生によって、大幅な検知精度の低下のおそれがある。
【特許文献１】特開２０００−１８６９５３号公報
【発明の開示】
【発明が解決しようとする課題】
【００１０】
本発明が解決しようとする課題は、磁歪式液面計検出部（ガイドパイプ）の屈曲や変形による、検知精度の低下やガイドパイプの破損等を引き起こすことなく、外部要因による磁歪式液面計検出部（ガイドパイプ）の振動を防止できる磁歪式液面計検出部（ガイドパイプ）の振動防止構造を提供することにある。
【課題を解決するための手段】
【００１１】
本発明は、磁歪線を内蔵した第１のパイプ（以下「ガイドパイプ」という。）と、このガイドパイプに沿って上下動可能な磁石付きフロートとを備え、液体貯蔵タンク内に挿入されて使用される磁歪式液面計検出部（ガイドパイプ）の振動防止構造であって、側面に気体および液体流通用の孔を有する第２のパイプ（以下「保護パイプ」という。）を液体貯蔵タンク内に固定して配置し、この保護パイプ内に第１のパイプおよび磁石付きフロートを挿入するとともに、第１のパイプの先端を保護パイプに固定したことを特徴とするものである。
【００１２】
ガイドパイプの先端を保護パイプに固定する具体的な構造としては、保護パイプに底板を設け、この底板にガイドパイプの先端を着座させて固定することができる。これによって、ガイドパイプの先端を保護パイプに確実に固定することができる。その際、タンク底部の形状にかかわらず必ず垂直に着座し、固定されることとなる。
【００１３】
また、保護パイプは、液体貯蔵タンクの取付口から液体貯蔵タンク内に挿入するとともに、保護パイプの基端部を液体貯蔵タンクの取付口に着脱可能に固定することができる。これによって、保護パイプの液体貯蔵タンク内への挿入・取り外しが容易になるとともに、取り外す際には、磁歪式液面計検出部も一緒に取り外すことができるのでメンテナンス性も向上する。
【００１４】
さらに、保護パイプは、その全長を調整可能な構造とすることが好ましい。これによって、施工現場において磁歪式液面計検出部の全長に合わせて保護パイプの長さを任意に調整できるようになるので、施工性および利便性が向上する。なお、予め磁歪式液面計検出部の全長がわかっている場合など、保護パイプの全長を調整する必要がない場合は、その全長を調整可能な構造とせずに、例えば１本の一体型パイプによって保護パイプを構成することもできる。
【発明の効果】
【００１５】
本発明によれば、磁歪線を内蔵したガイドパイプの先端を、液体貯蔵タンク内に固定した保護パイプに固定したことで、ガイドパイプの先端を液体貯蔵タンクの底面に固定することなく、外部要因による磁歪式液面計検出部（ガイドパイプ）の振動を確実に防止できる。また、液体貯蔵タンクの収縮時の圧力、およびタンク底面への変則的な接触によるガイドパイプの屈曲、変形が防止され、内部の磁歪線への影響が皆無となり、磁歪式液面計による高精度な液面レベルの計測や液漏洩を外部要因により阻害されることなく維持できる。
【００１６】
さらに、ガイドパイプの口径を必要以上に大きくまたは肉厚にする必要がないので、検知ミスや誤検知等による検知精度の低下が皆無となる。
【発明を実施するための最良の形態】
【００１７】
以下、図面に示す実施例に基づき本発明の実施の形態を説明する。
【実施例１】
【００１８】
図１は、本発明の磁歪式液面計検出部の振動防止構造の第１実施例を示す縦断面図である。
【００１９】
液体貯蔵タンク１０には、その上部に立ち上がりフランジ付きの取付口１１が設けられており、この取付口１１から保護パイプ２０が液体貯蔵タンク１０内に挿入されるとともに、保護パイプ２０内に磁歪式液面計検出部３０のガイドパイプ３１および磁石付きフロート３２が挿入されている。そして、ガイドパイプ３１の先端が保護パイプ２０の底板２１に着座して固定されている。
【００２０】
保護パイプ２０は、上部フランジ部２２と底板２１付きの下部パイプ部２３とから構成され、上部フランジ部２２を液体貯蔵タンク１０の取付口１１のフランジ部にボルトで固定することによって取り付けられている。
【００２１】
この上部フランジ部２２の内面と下部パイプ部２３の上部外面には、それぞれネジ部２２ａ，２３ａが設けられており、上部フランジ部２２に下部パイプ部２３をねじ込むことによって両者が接合され、そのねじ込み量を調整することにより保護パイプ２０の全長が調整可能となっている。また、下部パイプ部２３の側面には、気体および液体流通用の孔２３ｂが複数設けられており、液体貯蔵タンク１０内の液体が下部パイプ部２３に自由に出入りできるようになっている。したがって、保護パイプ２０が磁歪式液面計検出部３０の作動に支障を及ぼすことはない。
【００２２】
磁歪式液面計検出部３０は、図示しない磁歪線を内蔵したガイドパイプ３１と、このガイドパイプ３１に沿って上下動可能な磁石付きフロート３２とを備える。
【００２３】
この磁歪式液面計検出部３０は、従来から使用されている一般的なものであり、磁歪線を一定の速度で伝搬する超音波振動パルスを利用して磁石付きフロート３２の位置検出を行うことによって液面レベルを測定する。具体的には、磁石付きフロート３２から発生する磁界と、ガイドパイプ３１内の磁歪線に供給されるパルス電流の相互作用により、磁石付きフロート３２が位置する場所の磁歪線にねじれ歪の超音波振動パルスが発生する。この超音波振動バルスは磁歪線を一定速度で伝搬し、超音波振動検出器３３によって電気信号の受信パルスに変換される。超音波振動パルスが発生し、受信パルスが検出されるまでの時間は、磁石付きフロート３２と超音波振動検出器３３との距離に比例する。つまり、磁歪線にパルス電流を供給した瞬間から、超音波振動検出器３３によって超音波振動パルスを受信するまでの時間を電気的に計測することで磁石付きフロート３２の位置を知ることができる。
【００２４】
磁歪式液面計検出部３０のガイドパイプ３１および磁石付きフロート３２は、上述のとおり保護パイプ２０内に挿入され、ガイドパイプ３１の先端は保護パイプ２０の底板２１に垂直に着座して固定される。また、ガイドパイプ３１の基端部は、液面計支持具４０によって支持される。すなわち、液面計支持具４０は、液体貯蔵タンク１０の取付口１１にボルトで固定される下部フランジ４１と、内面にパッキン４２ａを備え下部フランジ４１に取り付けられる上部フランジ４２と、パッキン押さえ４３とからなり、パッキン押さえ４３を締め込むことでパッキン４２ａを押さえ、このパッキン４２ａにより、ガイドパイプ３１の基端部を支持固定する。
【００２５】
このようにガイドパイプ３１の基端部をパッキン４２ａで支持固定するとともに、ガイドパイプ３１の先端を上述のとおり保護パイプ２０の底板２１に垂直に固定することで、外部要因による磁歪式液面計検出部３０の振動を確実に防止でき、磁歪式液面計検出部３０の機能をいかんなく発揮できる。
【実施例２】
【００２６】
図２は、本発明の磁歪式液面計検出部の振動防止構造の第２実施例を示す縦断面図である。
【００２７】
先の実施例では、保護パイプ２０を上部フランジ部２２と下部パイプ部２３とから構成し、これらをネジ接合することにより保護パイプ２０の全長を調整可能としたが、本実施例は、上部フランジ部２２と下部パイプ部２３とをピン接合し、そのピン接合の位置を変更することによって保護パイプ２０の全長を調整可能としたものである。
【００２８】
具体的には、下部パイプ部２３の上部とこれが挿入される上部フランジ部２２の下部に、それぞれピン挿入孔２３ｃ，２２ｂを上下に間隔を開けて複数設け、ピン２４を挿入するピン挿入孔２３ｃ，２２ｂの組み合わせを変更することにより保護パイプ２０の全長を調整する。
【産業上の利用可能性】
【００２９】
本発明は、磁歪式液面計検出部を設置する液体貯蔵タンク全般に利用可能である。
【図面の簡単な説明】
【００３０】
【図１】本発明の磁歪式液面計検出部の振動防止構造の第１実施例を示す縦断面図である。
【図２】本発明の磁歪式液面計検出部の振動防止構造の第２実施例を示す縦断面図である。
【図３】従来の磁歪式液面計検出部の振動防止構造を縦断面図である。
【符号の説明】
【００３１】
１０  液体貯蔵タンク
１１  取付口
２０  保護パイプ（第２のパイプ）
２１  底板
２２  上部フランジ部
２２ａ  ネジ部
２２ｂ  ピン挿入孔
２３  下部パイプ部
２３ａ  ネジ部
２３ｂ  孔
２３ｃ  ピン挿入孔
２４  ピン
３０  磁歪式液面計検出部
３１  ガイドパイプ（第１のパイプ）
３２  磁石付きフロート
３３  超音波振動検出器
４０  液面計支持具
４１  下部フランジ
４２  上部フランジ
４２ａ  パッキン
４３  パッキン押さえ
５０  ガイドパイプ
６０  円筒形タンク
６１  最底部
６２  Ｒ部分
【図１】
2009229377.tif 000003
【図２】
2009229377.tif 000004
【図３】
2009229377.tif 000005
【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
磁歪線を内蔵した第１のパイプと、この第１のパイプに沿って上下動可能な磁石付きフロートとを備え、液体貯蔵タンク内に挿入されて使用される磁歪式液面計検出部の振動防止構造であって、
側面に気体および液体流通用の孔を有する第２のパイプを液体貯蔵タンク内に固定して配置し、この第２のパイプ内に第１のパイプおよび磁石付きフロートを挿入するとともに、第１のパイプの先端を第２のパイプに固定しており、かつ第２のパイプの長さが調整可能である磁歪式液面計検出部の振動防止構造。
【請求項２】
第２のパイプに底板を設け、この底板に第１のパイプの先端を着座させて固定した請求項１に記載の磁歪式液面計検出部の振動防止構造。
【請求項３】
第２のパイプを液体貯蔵タンクの取付口から液体貯蔵タンク内に挿入するとともに、第２のパイプの基端部を液体貯蔵タンクの取付口に着脱可能に固定した請求項１または請求項２に記載の磁歪式液面計検出部の振動防止構造。
【手続補正２】
【補正対象書類名】明細書
【補正対象項目名】００１１
【補正方法】変更
【補正の内容】
【００１１】
本発明は、磁歪線を内蔵した第１のパイプ（以下「ガイドパイプ」という。）と、このガイドパイプに沿って上下動可能な磁石付きフロートとを備え、液体貯蔵タンク内に挿入されて使用される磁歪式液面計検出部（ガイドパイプ）の振動防止構造であって、側面に気体および液体流通用の孔を有する第２のパイプ（以下「保護パイプ」という。）を液体貯蔵タンク内に固定して配置し、この保護パイプ内に第１のパイプおよび磁石付きフロートを挿入するとともに、第１のパイプの先端を保護パイプに固定しており、かつ保護パイプの長さが調整可能であることを特徴とするものである。
【手続補正３】
【補正対象書類名】明細書
【補正対象項目名】００１４
【補正方法】変更
【補正の内容】
【００１４】
本発明において保護パイプは、その全長を調整可能な構造とする。これによって、施工現場において磁歪式液面計検出部の全長に合わせて保護パイプの長さを任意に調整できるようになるので、施工性および利便性が向上する。